(57)【要約】【課題】意匠性に優れ、かつ底部中央部が落ち込むことがないペットボトルを提供する。【解決手段】ペットボトル１０は口部１２と、胴部１１と、肩部１３と、底部２０とを備え、胴部１１は圧力吸収パネルをもたず平坦状に形成されている。底部２０の円周状接地部２１と胴部１１との間の円周状境界部２３は、接地面３０に対して０〜３０°の傾斜角をもって傾斜する。【選択図】図１
2019182502.tif 000002
【特許請求の範囲】
【請求項１】
接地面上に載置される加温用の円筒状ペットボトルにおいて、
口部と、
前記口部に肩部を介して連結された胴部と、
前記胴部に連結された底部とを備え、
前記胴部は圧力吸収パネルをもたず、全体として表面が平滑化され、凹凸状をもたない平坦状をなし、
前記底部は前記接地面に接地する円周状接地部と、前記円周状接地部の中央に設けられ上方へ突出する底部中央部と、前記円周状接地部と前記胴部との境界をなす円周状境界部とを有し、
前記円周状境界部は前記接地面に対して０〜３０°の範囲で傾斜する、ペットボトル。
【請求項２】
前記胴部の上部および下部を除いた中央部分に、前記胴部の他の部分より内方へ凹んだ円周状ラベルガードを設けた、請求項１記載のペットボトル。
【請求項３】
前記底部中央部の前記接地面からの高さは、１０〜３０ｍｍとなっている、請求項１または２記載のペットボトル。
【発明の詳細な説明】
【技術分野】
【０００１】
本発明は加温用ペットボトルに係り、とりわけ意匠性に優れ、かつ底部中央部が落ち込むことのないペットボトルに関する。
【背景技術】
【０００２】
従来より接地面に載置される加温用ペットボトルとして、口部と、胴部と、肩部と、底部とを備えたものが知られている。このような加温用ペットボトルは、加温販売機等により加温され、内圧が高まるが、加温による内圧を吸収するため、胴部には複数の平面状圧力吸収パネルが設けられている。
【０００３】
しかしながら圧力吸収パネルを有するペットボトルでは、圧力吸収パネルにより内容物は外方から見えにくくなっている。
【０００４】
また圧力吸収パネルにより、ペットボトルの胴部外面にラベルを貼付しにくいという問題もある。
【０００５】
このような場合、ペットボトルの胴部から平面状の圧力吸収パネルを取り除くことも考えられるが、圧力吸収パネルを取り除くと、加温時に内圧が上昇して底部中央部が落ち込んでしまうという問題もある。
【先行技術文献】
【特許文献】
【０００６】
【特許文献１】特開２０１０−２２８８１６号公報
【発明の概要】
【発明が解決しようとする課題】
【０００７】
本発明はこのような点を考慮してなされたものであり、胴部から圧力吸収パネルを取り除くことができ、かつ加温時に内圧が上昇しても底部中央部が落ち込むことがない加温用ペットボトルを提供することを目的とする。
【課題を解決するための手段】
【０００８】
本発明は、接地面上に載置される加温用の円筒状ペットボトルにおいて、口部と、前記口部に肩部を介して連結された胴部と、前記胴部に連結された底部とを備え、前記胴部は圧力吸収パネルをもたず、全体として表面が平滑化され、凹凸状をもたない平坦状をなし、前記底部は前記接地面に接地する円周状接地部と、前記円周状接地部の中央に設けられ上方へ突出する底部中央部と、前記円周状接地部と前記胴部との境界をなす円周状境界部とを有し、前記円周状境界部は前記接地面に対して０〜３０°の範囲で傾斜する、ペットボトルである。
【０００９】
本発明は、前記胴部の上部および下部を除いた中央部分に、前記胴部の他の部分より内方へ凹んだ円周状ラベルガードを設けた、ペットボトルである。
【００１０】
本発明は、前記底部中央部の前記接地面からの高さは、１０〜３０ｍｍとなっている、ペットボトルである。
【発明の効果】
【００１１】
以上のように本発明によれば、ペットボトルの胴部が圧力吸収パネルをもたず、全体として平坦状をなしているので、内容物を容易に外方へ現わすことができ、かつペットボトルの内圧を円周状境界部により効果的に吸収することができる。
【図面の簡単な説明】
【００１２】
【図１】図１は第１の実施の形態によるペットボトルを示す側面図。
【図２Ａ】図２Ａは本発明によるペットボトルを示す図。
【図２Ｂ】図２Ｂは本発明によるペットボトルを示す図。
【図２Ｃ】図２Ｃは比較例としてのペットボトルを示す図。
【図３】図３は実施例におけるホットプレート上に載置されたペットボトルを示す図。
【図４】図４は第１の実施の形態によるペットボトルを示す外観の側面図。
【図５】図５は第１の実施の形態によるペットボトルを示す斜視図。
【図６】図６は第１の実施の形態によるペットボトルを示す底面図。
【図７】図７は第２の実施の形態によるペットボトルを示す側面図。
【発明を実施するための形態】
【００１３】
＜第１の実施の形態＞
以下、図面を参照して本発明の第１の実施の形態について説明する。
【００１４】
ここで図１乃至図６は本発明の第１の実施の形態を示す図である。
【００１５】
まず図４乃至図６により、加温用ペットボトルの概略について述べる。図４乃至図６に示すように、加温用ペットボトル（以下、単にペットボトルともいう）１０は、射出成形法等で製作されたポリエチレンテレフタレート製（ＰＥＴ製）の試験管状のプリフォームを２軸延伸ブロー成形で製作されたボトルからなる。このようなペットボトル１０は、加温販売機等の加温面からなる接地面３０（図１参照）上に載置され、この加温販売機等の加温面により加温される。
【００１６】
このようなペットボトル１０は、全体として円筒形状をもち、外ねじ１２ａおよびサポートリング１２ｂを有する口部１２と、口部１２に肩部１３を介して連結された胴部１１と、胴部１１の下方に連結された底部２０とを備え、全体としてＰＥＴ（ポリエチレンテレフタレート）により構成されている。
【００１７】
ここで胴部１１は平面状に形成された圧力吸収パネルをもつことなく、全体として平坦状をなしている。
【００１８】
本願明細書において、「上方」、「下方」とはペットボトル１０を図４の状態で正立させた場合における「上方」、「下方」を意味する（図４参照）。また「平坦状」とは、表面が平滑化され、凹凸形状をもたない形状をいい、平面または湾面の双方の場合を含む。
【００１９】
また底部２０は接地面３０に接地する円周状接地部２１と、円周状接地部２１の中央に設けられ上方へ突出する底部中央部２２と、円周状接地部２１と胴部１１との間の境界をなす円周状境界部２３とを有する。
【００２０】
また底部中央部２２には、その下方部に外方へ突出する５個の突出部２５が設けられ、各突出部２５は円周状境界部２３から上方の上端部２２ａへ向って延びている。そしてこの５つの突出部２５により、底部２０の底部中央部２２の強化を図っている。
【００２１】
なお、図１に示すペットボトルの全長Ｈは１２０〜２１０ｍｍ、接地面３０から底部中央部２２の上端部までの高さＨ１は、１０〜３０ｍｍとなっている。また胴部１１の直径Ｄは、５２〜７５ｍｍとなっている。
【００２２】
次に図１により、底部２０の構造について更に述べる。
【００２３】
図１に示すように、底部２０の円周状接地部２１は、接地面３０に接地され、この円周状接地部２１と胴部１１との間に形成された円周状境界部２３は、接地面３０に対して傾斜角θで傾斜している。
【００２４】
円周状境界部２３の傾斜角θは、０°〜３０°、好ましくは３°〜２０°となっている。
【００２５】
ペットボトル１０は、接地面３０を構成する加温販売機等の加温面上に載置されて水等の内容物かとともに加温される。ペットボトル１０が加温されると内圧が上昇する。ペットボトル１０の胴部１１は圧力吸収パネルをもたないため、ペットボトル１０の内圧が上昇すると、上昇した内圧は底部２０側に加わることになる。
【００２６】
この場合、底部２０の円周状境界部２３は、胴部１１と円周状境界部２３との間の円周状折曲部Ｐを介して、胴部１１に対して下方外方（図１の矢印Ｌ方向）へ折れ曲がって変形する。このように円周状境界部２３が下方外方へ折れ曲がって変形することによりペットボトル１０の内容積が増加して、ペットボトル１０内の内圧を吸収することができる。
【００２７】
ところで、円周状境界部２３の傾斜角θが小さい場合、例えば傾斜角θが０°近傍の場合、ペットボトル１０内部から円周状境界部２３に対して下方へ向って働く力が大きくなり、円周状境界部２３は円周状折曲部Ｐを介して下方外方へ容易に折り曲がって変形する。
【００２８】
他方、円周状境界部２３の傾斜角θが大きい場合、例えば、θが３０°超になると、ペットボトル１０内部から円周状境界部２３に対して下方へ向って働く力が小さくなり、円周状境界部２３を下方外方へ変形させることがむずかしくなる。円周状境界部２３が下方外方へ向って変形しない場合、ペットボトル１０内の内圧は底部中央部２２側に向い、この底部中央部２２が下方へ押圧され、底部中央部２２が下方へ向って突出し、場合によっては、接地面３０まで達する。このように底部中央部２２が接地面３０に当接すると、ペットボトル１０が接地面３０上で不安定となる現象（バックリング）が生じてしまう。
【００２９】
以上のことから、上述のように底部２０の円周状境界部２３の傾斜角は０°〜３０°に設定されている。
【００３０】
次にこのような構成からなる本実施の形態の作用について述べる。
【００３１】
まず上述したペットボトル１０を準備し、このペットボトル１０内に内容物（水）を入れて口部１２にキャップ１５（図３参照）を装着する。
【００３２】
次に内容物が入ったペットボトル１０を加温販売機等の加温面（接地面）３０上に載置して加温面によりペットボトル１０を加温する。このとき底部２０の円周状境界部２３が円周状折曲部Ｐを介して下方外方（矢印Ｌ方向）へ折れ曲げられて変形する。このことにより、ペットボトル１０内の内容積が増加し、ペットボトル１０内の内圧の上昇を円周状境界部２３により効果的に吸収することができる。
【００３３】
またペットボトル１０の胴部１１が圧力吸収パネルをもたず、全体として平坦状をなしているので、内容物を容易に外方へ現わすことができ、意匠性に優れたペットボトル１０を提供できる。またペットボトル１０の胴部１１に容易にラベルを貼り付けることができる。
【００３４】
＜第２の実施の形態＞
次に図７により本発明の第２の実施の形態について説明する。図７に示す第２の実施の形態は、ペットボトル１０の胴部１１の上部１７ａおよび下部１７ｂを除いた中央部分に、胴部１１の他の部分より内方へ凹んだ、胴部１１に貼られるラベル（図示せず）を保護する円周状ラベルガード１７を設けたものである。
【００３５】
図７に示す他の構成は、図１、図４乃至図６に示す第１の実施の形態と略同一である。
【００３６】
図７に示す第２の実施の形態において、図１、図４乃至図６に示す第１の実施の形態と同一部分には同一符号を付して詳細な説明は省略する。
【００３７】
図７において、胴部１１の中央部分に他の部分より内方へ凹んだ円周状ラベルガード１７を設けたことにより、この円周状ラベルガード１７にラベルを胴部１１に貼り付けることができる。また他の部分より内方へ凹んだラベルガード１７によって、ラベル表面への擦り傷を防止することもできる。
【００３８】
なお、図７においても、ペットボトル１０を加温した場合に、底部２０の円周状境界部２３が円周状折曲部Ｐを介して下方外方（矢印Ｌ方向）へ折り曲げられて変形する。このことにより、ペットボトル１０内の内容積が増加し、ペットボトル１０内の内圧上昇を円周状境界部２３により効果的に吸収することができる。
【００３９】
またペットボトル１０の胴部１１が圧力吸収パネルをもたず、全体として平坦状となしているので、内容物を容易に外方へ現わすことができ、意匠性に優れたペットボトル１０を提供できる。またペットボトル１０の胴部１１に容易にラベルを貼り付けることができる。
【実施例】
【００４０】
次に本発明の具体的実施例について、図２Ａ、図２Ｂ、図２Ｃおよび図３により説明する。本実施例は上述した第１の実施の形態に対応している。
【００４１】
まず第１の実施の形態において説明したペットボトル１０をＰＥＴ製２２ｇプリフォームを用いて、２軸延伸ブロー成形により作製した。このペットボトル１０の全長Ｈは１３２ｍｍ、胴部１１の直径Ｄは６６ｍｍとなっている。
【００４２】
次にペットボトル１０内に水を口部１２の上端から２５ｍｍ下方位置まで充てんし、口部１２にキャップ１５を装着した。
【００４３】
次に図３に示すように、水が充てんされたペットボトル１０を加温販売時の過酷試験としてアズワン株式会社製ホットプレート（ＥＣ−１２００Ｎ）の加温面３０上に載置した。
【００４４】
ホットプレートを作動させて、ホットプレートの加温面３０を設定温度が１８０℃となるまで加熱した。
【００４５】
この場合、本発明によるペットボトル１０として、底部２０の円周状境界部２３の傾斜角θが０°のペットボトル１０（図２Ａ参照）と、底部２０の円周状境界部２３の傾斜角θが３０°のペットボトル１０（図２Ｂ参照）を準備した。
【００４６】
同時に比較例によるペットボトル１０として底部２０の円周状境界部２３の傾斜角θが６０°のペットボトル１０（図２Ｃ参照）を準備した。
【００４７】
このとき、ペットボトル１０の底部２０の底部中央部２２が下方へ突出して加温面３０に当接するバックリング現象が発生したか否かを、ペットボトル１０を加温面３０上に載置した際の経過時間とともに評価した。
【００４８】
その評価結果を表１に示す。
【００４９】
【表１】
2019182502.tif 000003
表１において、バックリング現象が生じていない状態を「○」として示し、バックリング現象が生じた状態を「×」として示す。
【００５０】
表１によりわかるように、底部２０の円周状境界部２３の傾斜角θが０〜３０°の場合に、傾斜角θが６０°の場合に比べると、バックリング現象が生じるまで長時間を要することがわかり、傾斜角θが０〜３０°の場合に、底部２０が変形することなく、内圧の上昇を効果的に吸収することができた。
【符号の説明】
【００５１】
１０  ペットボトル
１１  胴部
１２  口部
１３  肩部
１７  円周状ラベルガード
２０  底部
２１  円周状接地部
２２  底部中央部
２３  円周状境界部
３０  接地面
【図１】
2019182502.tif 000004
【図２Ａ】
2019182502.tif 000005
【図２Ｂ】
2019182502.tif 000006
【図２Ｃ】
2019182502.tif 000007
【図３】
2019182502.tif 000008
【図４】
2019182502.tif 000009
【図５】
2019182502.tif 000010
【図６】
2019182502.tif 000011
【図７】
2019182502.tif 000012